(57)【要約】【課題】農作業においては天候や植物の生育状況に応じて、耕作者が毎日毎時の見回りにより、用水路に設けられたバルブ等を開閉することにより給水を行い、水田の水位調整を行なっていたが手間の掛かる作業であった。このような煩わしさを排除し作業の省力化を図るべく、水田の水位調整を自動的に行なうための自動給水装置を提供するものである。【解決手段】後部に用水路より取水のための開口部を設け、前部には水田へ用水を給水するための開口部を設ける。該前部の開口部に昇降自在なゲートを設けた函体よりなる取水室と、前記ゲートを上昇させるための手段として操作フロートを内設した操作フロート室を、取水室の外側に連設した自動給水器と、水田の水位を検出するための水位検出器を水田内に設置し、該水位検出器からの信号によりゲートを上昇させる手段を通じゲートを昇降させ、水田の水位を自動的に調整できることを特徴としたもの。【選択図】図１
2011115059.tif 000002
【特許請求の範囲】
【請求項１】
後部に用水路より取水のための開口部を設け、前部には水田へ用水を給水するための開口部を設け、該前部の開口部に昇降自在なゲートを設けた函体よりなる取水室と、前記ゲートを上昇させるための手段として操作フロートを内設した操作フロート室を、取水室の外側に連設し、また取水室の側部にはストレーナーを介して操作水を取り入れるための操作水取水室を内設し、該操作水取水室の底部に穿設した孔と、操作フロート室の底部に穿設した導入孔を導入管で接続し、更に操作フロート室の底部に操作水を外部へ排出するための排水孔を穿設し、該排水孔及び導入孔は操作フロートの作動により、相反する動作を行う排水弁及び導入弁により、操作水を操作フロート室内への導入または操作フロート室外への排水を行う自動給水器と、水田の水位を検出するための水位検出器を水田内に設置し、該水位検出器からの信号によりゲートを上昇させる手段を通じゲートを上昇または下降させ、水田へ用水の給水を開始または停止を行い、水田の水位を自動的に調整できることを特徴とした水田用自動給水装置。
【請求項２】
前記ゲートを上昇させるための手段として、函体よりなる操作フロート室を取水室の左右の外側に連設し、該各操作フロート室にそれぞれ操作フロートを内設し、各操作フロート上部に上方へ棒状の操作フロート杆を立設し、またゲート上部より上方へ棒状のゲート吊杆を立設し、前記左右の操作フロート杆の中途部とゲート吊杆の中途部とを横架したゲート操作杆を揺動自在に枢設し、更にゲート吊杆に前記水位検出器の信号によりゲートを昇降させ、且その状態を維持または解除する機構を設置したことを特徴とした請求項１に記載の水田用自動給水装置。
【請求項３】
前記ゲートを上昇させるための手段として、函体よりなる操作フロート室を取水室の左右何れか一方の外側に連設し、該操作フロート室に操作フロートを内設し、操作フロート上部に上方へラック状の操作フロート杆を立設し、該操作フロート杆はピニオンと歯合し歯車機構を介して、ゲート上部より上方へ立設されたラック状のゲート吊杆に歯合したピニオンに操作フロート杆の動作が伝達され、更にゲート吊杆に前記水位検出器の信号によりゲートを昇降させ、且その状態を維持または解除する機構を設置したことを特徴とした請求項１に記載の水田用自動給水装置。
【発明の詳細な説明】
【技術分野】
【０００１】
水田の水位を自動的に適正に保つための、水田用自動給水装置に関するものである。
【背景技術】
【０００２】
農作業においては天候や植物の生育状況に応じて、耕作者が毎日毎時の見回りにより、用水路に設けたバルブ等を開閉することにより給水を行い、水田の水位調整を行なっていたが手間の掛かる作業であった。そのため従来からこのような煩わしさを排除し作業の省力化を図るべく、水田の水位調整を行なうための種々の自動給水装置が開示されている。
【０００３】
従来の自動給水装置として特許文献１では、ダイヤフラム弁からなる自動給水栓と、ボールタップ弁からなるパイロット弁とを組み合わせ、水位が低下してボールタップ弁が開くと自動給水栓が開弁して用水を供給し、設定水位になってボールタップ弁が閉じると自動給水栓も閉弁して用水の供給を停止するよう形成したものであり、設定水位を常に維持するよう弁の開閉動作を頻繁に行なう。また該自動給水装置は弁の駆動源として圧力水（用水路は閉水路）が必要であり、また装置構造が複雑なため用水中に塵芥、枯れ草等の障害物があると動作不良となる。
【０００４】
また特許文献２では、用水路（開水路）に水田に通ずる流通口を設けたピット設け、このピットの中に設けた溝に流通口を設けた仕切壁を嵌合し、該流通口を開閉する弁体とフロートを備えたアームを弥次郎衛状に構成したものを前記仕切壁に揺動自在に取付け、弁体は用水路側に、フロートを備えたアームは水田側に配置したものであり、これも前記特許文献１同様に設定水位を常に維持するよう弁の開閉動作を頻繁に行なう、また水田の水位の変動幅は大きくないため弁開度幅も大きくとることはできず、水田の水位の上昇に伴い弁の開度が小さくなり、用水中の塵芥、枯れ草等の障害物が弁等に挟み込みまたは引っ掛かりやすくなり動作不良となる。
【０００５】
また、特許文献３ではダイヤフラム弁からなる自動給水主弁と電磁弁を組み合わせ、水田の水位の低下または上昇を電極により検出する水位計の信号で電磁弁が動作し、それにより自動給水主弁が用水路（閉水路）の用水圧力を利して、水位が下限で開弁し、上限で閉弁となることにより水位の自動調整を行なう。
【０００６】
特許文献１及び、特許文献３では圧力水を駆動源とした給水弁であるため、圧力水を得るための閉水路（パイプライン等）が必要であるが、一般的には殆んど閉水路の整備がされておらず、使用可能箇所が極めて少なく限定される。
【０００７】
また特許文献１及び、特許文献２では設定水位は基準設定値のみであるため、設定水位を常に維持するよう、弁の開閉動作が頻繁に行なわれるため弁の損傷の恐れが大きい。また常に給水状態になるため水田の水温の上昇が図りづらく、水稲の生育の促進が望めない。
【０００８】
更に特許文献１及び、特許文献３は装置の構造が複雑であり、また特許文献２では弁開度が小さくなるに従い用水中の塵芥、枯れ草等の障害物により弁または装置に挟み込み、詰まり、または引っ掛りが起き動作不良となる。このため用水中の障害物の除去が必要であり、障害物の混入の多い開水路での使用は困難である。
【先行技術文献】
【特許文献】
【０００９】
【特許文献１】特開平０２−０４７４１５号公報
【特許文献２】特開平０８−１７２９４３号公報
【特許文献３】特開平０８−１６３９３５号公報
【発明の概要】
【発明が解決しようとする課題】
【００１０】
本自動給水装置は給水装置の駆動源として電力を必要とせず（但し、制御用として電力を必要とするものもある）、また用水の水圧も利用しないため用水路は開水路で良く、構造も簡単であることにより、用水路中の障害物等による動作不良が無く、また常に水田の水位を一定に保つ連続制御ではなく、上下限間で水位を調整する２位置制御であるため給水停止期間を設けることができ、水田水の温度上昇が図られ水稲の生育が良好となる。更に自動的に給水動作を行い、耕作者を手間の掛かる煩わしい作業から解放し、作業の省力化を図ろうとするものである。
【課題を解決するための手段】
【００１１】
前記目的を達成するために、後部に用水路より取水のための開口部を設け、前部には水田へ用水を給水するための開口部を設ける。該前部の開口部に昇降自在なゲートを設けた函体よりなる取水室と、前記ゲートを上昇させるための手段として操作フロートを内設した操作フロート室を取水室の外側に連設し、また取水室の側部にはストレーナーを介して操作水を取り入れるための操作水取水室を内設する。該操作水取水室の底部に穿設した孔と、操作フロート室の底部に穿設した導入孔を導入管で接続し、更に操作フロート室の底部に操作水を外部へ排出するための排水孔を穿設する。該排水孔及び導入孔は操作フロートの作動により、相反する動作を行う排水弁及び導入弁により、操作水を操作フロート室内への導入または操作フロート室外への排水を行う自動給水器と、水田の水位を検出するための水位検出器を水田内に設置し、該水位検出器からの信号によりゲートを上昇させる手段を通じゲートを上昇または下降させ、水田へ用水の給水を開始または停止を行い、水田の水位を自動的に調整できることを特徴としたもの。
【００１２】
前記ゲートを上昇させるための手段として、函体よりなる操作フロート室を取水室の左右の外側に連設し、該各操作フロート室にそれぞれ操作フロートを内設し、各操作フロート上部に上方へ棒状の操作フロート杆を立設する。またゲート上部より上方へ棒状のゲート吊杆を立設し、前記左右の操作フロート杆の中途部とゲート吊杆の中途部とを横架したゲート操作杆を揺動自在に枢設し、更にゲート吊杆に前記水位検出器の信号によりゲートを昇降させ、且その状態を維持または解除する機構を設置したことを特徴としたもの。
【００１３】
また前記ゲートを上昇させるための手段として、函体よりなる操作フロート室を取水室の左右何れか一方の外側に連設し、該操作フロート室に操作フロートを内設し、操作フロート上部に上方へラック状の操作フロート杆を立設する。該操作フロート杆はピニオンと歯合し歯車機構を介して、ゲート上部より上方へ立設したラック状のゲート吊杆に歯合したピニオンに操作フロート杆の動作が伝達される。更にゲート吊杆に前記水位検出器の信号によりゲートを昇降させ、且その状態を維持または解除する機構を設置したことを特徴としたもの。
【発明の効果】
【００１４】
給水操作のための駆動源を電力とする給水装置では、広大な圃田地区においては電力会社からの電力の供給を容易に得ることは困難であり、電力源としてバッテリーを用いる場合は大容量なものが必要である。また給水操作のための駆動源に圧力水を利用する給水装置では、用水路としてパイプライン等の閉水路が必要であり、一般的には殆んど閉水路の整備がされておらず、使用範囲が極めて少なく限定される。
【００１５】
しかし本発明の水田用自動給水装置によれば、給水操作のための駆動源をフロートの浮力による上昇力とすることにより、容易に大きな駆動力を得ることができる。また給水装置（ゲート）の開度を「全閉」または「全開」とすることにより、給水時には用水路中の障害物も大量の用水諸共水田内へ給水することにより、用水路中の障害物が給水装置（ゲート）に引っ掛かり、または噛み込み等による動作不良を起こすことがない。更に給水装置（ゲート）の開閉制御機構は狭隘な配管または複雑な構造の弁機構等がなく、簡単な構造であるため用水路中の障害物の詰まり等による動作不良がなく、確実に動作が行なえる。
【図面の簡単な説明】
【００１６】
【図１】第１実施形態の自動給水装置を示す斜視図である。
【図２】第２実施形態の自動給水装置を示す斜視図である。
【図３】第３実施形態の自動給水装置を示す斜視図である。
【図４】第４実施形態の自動給水装置を示す斜視図である。
【図５】第５実施形態の自動給水装置を示す斜視図である。
【図６】第１実施形態の自動給水装置を示す簡易断面図である。
【図７】第１実施形態の自動給水装置の動作説明図である。
【図８】自動排水装置を示す簡易断面図である。
【図９】自動排水装置の動作説明図である。
【図１０】自動給排水装置の設置図である。
【図１１】第１実施形態の自動給水装置の制御回路図である。
【図１２】第２実施形態及び第３実施形態の自動給水装置のロック機構（下限）の動作を示す部分詳細図である。
【図１３】第１実施形態の自動給水装置のＡ−Ａ部分断面図である。
【発明を実施するための形態】
【００１７】
本発明の実施の形態を、図面を参照にして詳述する。尚自動給水器の図面おいてゲート側を前部または前方、用水路側を後部または後方とし、更に前部より視て右側を右部または右側、左側を左部または左側とする。
【００１８】
自動給水装置は自動給水器、水位検出器、及び水位検出器よりの制御信号を自動給水器に伝達する水位伝達手段より構成する。また操作水とはゲートを上昇させるための手段の駆動源として用水より障害物をストレーナーにより除去後の用水であり、水田水とは給水器より水田へ給水され貯えられた用水である。尚本自動給水装置は水田水位と用水路水位とに水位差（用水路水位が水田水位よりも高位）を有する水田への、給水を行なうための自動給水装置である。
【実施例１】
【００１９】
図１、図６、図１３により第１実施形態の自動給水装置を詳述する。自動給水器１は、後部に用水路より取水のための開口部からなる取水部５を有し、前部には水田へ給水のための開口部からなる給水部４を有する函体からなる取水室１０において、前記給水のための開口部には左右それぞれに凹状の溝１２、１２を設置し、更に左右それぞれの上方へも凹状の溝１２、１２を延設し、また開口部の下部にも凹状の溝１２を設置する。該溝１２内には昇降自在に板状のゲート１１を挿設し、該ゲート１１の上端中央より上方へ棒状のゲート吊杆１３を立設する。該ゲート吊杆１３の中途部には横架した棒状のゲート操作杆１４の中央を揺動自在に枢設する。
【００２０】
前記取水室１０の左右にはストレーナー１６により仕切られた操作水取水室１５を内設し、該操作水取水室１５の底部には孔を穿設し、該孔には後述する操作フロート室２０へ操作水を導入するための導入管２６を操作水取水室１５底部外側と操作フロート室２０底部外側に渡設する。
【００２１】
前記取水室１０の左右部の外側にはそれぞれ函体からなる操作フロート室２０を連設し、該操作フロート室２０は操作フロート２１を浮動自在に内設している。該操作フロート２１の上部中央より上方に棒状の操作フロート杆２２を立設し、該左右の操作フロート杆２２、２２の中途部に前記ゲート操作杆１４の左右端部を揺動自在に枢設する。また操作フロート２１には安定して昇降するためのガイド孔２９、２９を穿設し、該ガイド孔２９、２９に棒状のガイド杆２３、２３を貫装し、該ガイド杆２３、２３は操作フロート室２０の下部と操作フロート室２０の上方の部材とに固設する。
【００２２】
前記操作フロート室２０の底部には排水孔、導入孔、連通孔を穿設し、排水孔には操作フロート２１により作動する排水弁２５を、導入孔にも操作フロート２１により作動し前記排水弁２５と相反する動作をする導入弁２４を、更に連通孔には左右の操作フロート室２０、２０の水位を均等にするための連通管２８が左右の操作フロート室２０、２０に渡設されている。前記排水弁２５は操作フロート２１の最下位置において操作フロート２１の重みにより閉状態となり、導入弁２４は開状態であり導入管２６を通じ操作水取水室１５より操作水が導入される。また操作フロート２１が上昇した際、排水弁２５は操作フロート２１の重みから開放されスプリング９０の作用により開状態となり排水管２７を通じ操作水が排水される。また排水弁２５と連動（相反する動作）する導入弁２４は閉状態となり、操作水取水室１５よりの操作水の導入が停止される。
【００２３】
自動給水器１の取水部５を用水路の開口部へ強固に密着させ、且水平に設置するために棒状の設置杭５０、５０、５０、５０を長さが自在に調整できるよう、左右の操作フロート室２０、２０の外側に設置する。
【００２４】
水位検出器３は下部に水田の水位を検出するための多数の孔が穿設された函体よりなる水位フロート室３０に、水位検出のための水位フロート３１が浮動自在に内設されている。該水位フロート３１の上部中央より上方に棒状の水位フロート杆３２を立設し、該水位フロート杆３２を水位フロート室３０の上方の架台に穿孔されたガイド孔に貫装し、また水位フロート杆３２には水田の水位を任意に設定するための水位設定片（上限、下限）３３、３４を設置する。また水位検出器３には前記自動給水器１と同様に水田へ強固に、且水平に設置するための棒状の設置杭５０、５０、５０、５０を長さが自在に調整できるよう、水位フロート室３０の外側に設置する。
【００２５】
水位伝達手段は水田の水位の変動により水位フロート３１が上昇または下降することにより、水位フロート杆３２に設置の水位設定片（上限、下限）３３、３４の押動により、水位フロート室３０上方の架台に設置の水位リミットスイッチ（上限、下限）４２、４３を動作させ、該水位リミットスイッチ（上限、下限）４２、４３よりの接点信号は水位検出器３から自動給水器１間に配設されたケーブル４０により自動給水器１に設置の自動制御ボックス４１に送信される。
【００２６】
また自動給水器１ではゲート吊杆１３の中途部にゲート保持片（上限、下限）１８、１９が凸設されている。該ゲート保持片（上限、下限）１８、１９は断面が直角三角形状をなし、上限ゲート保持片１８は下方に直角部を有し、下限ゲート保持片１９は上方に直角部を有する。該ゲート保持片（上限、下限）１８、１９に対応するようにゲート保持開放器（上限、下限）４４、４５が自動給水器１の架台に設置されている。該ゲート保持開放器（上限、下限）４４，４５は自動制御ボックス４１の信号によりソレノイドコイルに通電されると、プランジャーが吸引されプランジャー先端部が後退し、前記ゲート保持片（上限、下限）１８、１９の係止を解除する機能を有し、またソレノイドコイルが無通電時はスプリングの反発力によりプランジャー先端部が伸長しゲート吊杆１３に近接しゲート保持片（上限、下限）１８、１９を係止する機能を有する。尚ゲート１１の昇降時以外ゲート保持片（上限、下限）１８，１９の何れかは対応するゲート保持開放器（上限、下限）４４，４５により係止されている。
【００２７】
前記自動制御ボックス４１には図１１で示すように、制御電源用のバッテリー、電磁リレー及び配線等より構成した制御回路有し、該自動制御ボックス４１には水位検出器３よりの水位リミットスイッチ（上限、下限）４２、４３からの入力信号と、ゲート１１の昇降を制御するためのゲート保持開放器（上限、下限）４４、４５への出力信号があり、これらの信号によりゲート１１の昇降を制御する。また電力の使用は制御回路図（図１５）でも分かるようにリレー等を動作させるための微少電力であり、ゲート１１の上昇の駆動源として使用しないため、電力の消耗は極めて少ない。尚図１１の制御回路は一例を示したものに過ぎず、同様な動作を奏する制御回路であれば特に限定されるものではない。
【００２８】
図６は第１実施形態の自動給水装置を示す簡易断面図である。また図７は第１実施形態の自動給水装置の動作を示す動作説明図（符号は図６を参照）である。図６、図７を参照に第１実施形態の自動給水装置の動作について説明する。尚自動給水器１は水田の取水部５において用水路１０２に密着させ設置し、水位検出器３は水田内の任意な箇所に設置する。
【００２９】
図７（ａ）は水田の湛水時の自動給水装置の状態を示す。即ち水位フロート３１は水位リミットスイッチ（上限、下限）４２，４３を動作させない中間位置にあり、操作フロート室２０は排水弁２５が閉状態、導入弁２４は開状態であり、操作フロート室２０と操作水取水室１５は通水状態のため操作フロート室２０は満水状態である。また下限ゲート保持片１９は下限ゲート保持開放器４５により係止されており、ゲート１１は閉で給水は停止状態であり、操作フロート２１は満水となった操作フロート室２０の最下位置で、浮力を有した状態で保持されている。
【００３０】
次に水田水１００が蒸発または地下へ浸透し水位が低下すると、水位フロート３１も低下し、下限水位設定片３４の押動により下限水位リミットスイッチ４３を動作させ、該下限水位リミットスイッチ４３の接点信号がケーブル４０を通じ自動制御ボックス４１へ送信される。（図７（ｂ）を参照）
【００３１】
下限水位リミットスイッチ４３の接点信号は自動制御ボックス４１で、下限ゲート保持開放器４５への動作信号に変換され出力される。該動作信号により下限ゲート保持開放器４５のソレノイドコイルが励磁されプランジャーは吸引され、下限ゲート保持片１９の係止が解除されると、満水状態の操作フロート室２０の最下位置で保持されていた操作フロート２１の保持が解除され、操作フロート２１が浮力により上昇すると同時にゲート１１も連動して閉位置より上昇し、上限ゲート保持片１８は上限ゲート保持開放器４４により係止する。該上限ゲート保持片が係止されることにより、ゲート１１は開位置で操作フロート２１は上方位置で保持される。該操作フロート２１が上昇するとスプリング９０の作用により導入弁２４は閉となり、これと相反する排水弁２５は開となり操作フロート室２０は排水される。これにより水田への給水が開始される（図７（ｂ）、図７（ｃ）を参照）。
【００３２】
操作フロート室２０は排水され空となり、操作フロート２１は操作フロート室２０の上方で中吊り状態で保持される。水田へは給水継続中である。（図７（ｄ）を参照）
【００３３】
水田への給水が進み水田の水位が上昇すると、水位フロート３１も上昇し上限水位設定片３３の押動により上限水位リミットスイッチ４２が動作し、該上限水位リミットスイッチ４２の接点信号がケーブル４０を通じ自動制御ボックス４１へ送信される。（図７（ｅ）を参照）
【００３４】
上限水位リミットスイッチ４２の接点信号は自動制御ボックス４１で、上限ゲート保持開放器４４への動作信号に変換され出力される。該動作信号により上限ゲート保持開放器４４のソレノイドコイルが励磁されプランジャーは吸引され上限ゲート保持片１８の係止が解除されると、操作フロート室２０の上方で中吊り状態で保持されていた操作フロート２１と開位置で保持されていたゲート１１は、保持が解除され自重により下降し、下限ゲート保持片１９は下限ゲート保持開放器４５により係止される。該下限ゲート保持片１９が係止されることによりゲート１１は閉位置で操作フロート２１は最下位置で保持される。また操作フロート２１が下降すると排水弁２５は操作フロート２１に押され閉となり、これと相反する導入弁２４は開となり、操作水がストレーナー１６を経由して操作水取水室１５より導入管２６を経て操作フロート室２０へ導入され、操作フロート室２０の水位は用水路１０２の水位まで上昇し、操作フロート２１は操作フロート室２０の最下位値にて水没状態で保持される。これにより水田への給水が停止される（図７（e）、図７（ｆ）を参照）。
【００３５】
上記のように水田の水位は上限水位より減水し、下限水位に到達すると自動的に給水され、更に上限水位に達すると給水が停止となる。以上の動作を繰り返し水田の水管理が自動的に行なわれる。
【実施例２】
【００３６】
図２に第２実施形態の自動給水装置を示す。前記第１実施形態の自動給水装置との相異点は水位検出器３が自動給水器１の外側に連設されており、また水位伝達手段として水位リミットスイッチによる電気信号に替え、水位リミットレバー（上限、下限）４８、４９が水位設定片（上限、下限）３３、３４により動作し、それを線条体４６、４７によりゲート保持開放器（上限、下限）４４、４５に伝達する機械的伝達手段としたことである。（図１２を参照）
【００３７】
前記のように、本実施形態の自動給水装置の特徴は水位検出器３が自動給水器１と連設されているため、水位伝達手段が短くてすみ、水位の設定も用水路１０２の取水部５で行なえる。また全く電気を使用しないためバッテリーの消耗による不動作の心配がない。
【実施例３】
【００３８】
図３に第３実施形態の自動給水装置を示す。第１実施形態の自動給水装置との相異点は、水位伝達手段として水位リミットスイッチ及びケーブルを使用した電気信号によらず、第２実施形態の自動給水装置と同様な水位リミットレバー（上限、下限）４８、４９及び線条体４６、４７によるものである。
【００３９】
前記第２実施形態の自動給水装置と同様に、本実施形態の自動給水装置は全く電気を使用しないためバッテリーの消耗による不動作の心配がなく、また水位検出器３は水田の任意の箇所に設置可能である。
【実施例４】
【００４０】
図４に第４実施形態の自動給水装置を示す。第１実施形態の自動給水装置との相異点は、水位伝達手段としてケーブルを使用せず無線信号により行なうものであり、水位検出器３及び自動給水器１にはバッテリーの電源により動作する水位発信機５２および水位受信機５１を設置したものである。
【００４１】
前記のように、本実施形態の自動給水装置は、水位伝達手段としてのケーブルまたは線条体の敷設の必要がなく、水位検出器３を水田の任意の箇所に設置可能であり、また随時設置箇所の移動が可能である。
【実施例５】
【００４２】
図５に第５実施形態の自動給水装置を示す。前記第２実施形態の自動給水装置との相異点は、操作フロート室２０を取水室１０の右側の外部にのみ設置し、該操作フロート室２０に内設された操作フロート２１より上方にラック状の操作フロートラック６１が立設されており、該操作フロートラック６１は操作フロートピニオン６４と歯合し、更に歯車機構６３を介してラック状のゲートラック６２に歯合したゲートピニオン６５に伝達され、該ゲートピニオン６５の回転によりゲートラック６２が操作フロート２１の動作に連動しゲート１１を昇降するようにしたものである。
【００４３】
前記のように本実施形態の自動給水装置は、第２実施形態の自動給水装置の操作フロート杆及びゲート吊杆をラック状とすることにより、操作フロート室を１箇所のみとしても安定してゲートを昇降することができ、また操作フロート室を１箇所にすることにより製作コストを低く抑えることができる。
【実施例６】
【００４４】
以上記載した自動給水装置の一部の構造を変更することにより、自動排水装置とすることができる。図８に第１実施例の自動給水装置の一部の構造を変更した、自動排水装置の簡易断面図を示す。該自動排水装置と第１実施形態の自動給水装置との相異点は、前記自動給水器１のゲート吊杆１３の中途部に設けたゲート保持片（上限、下限）１８、１９の取付け向きは、自動給水器１では上限ゲート保持片１８は下側に直角部を有し、下限ゲート保持片１９は上側に直角部を有するが、自動排水装置の自動排水器２では上限ゲート保持片１８は上側に直角部を有し、下限ゲート保持片１９は下側に直角部を有するよう変更する。
【００４５】
上記自動排水装置と第１実施形態の自動給水装置との相異点について記載したが、以下に第１実施形態の自動給水装置の構造を変更した自動排水装置の動作について記載する。図９は自動排水装置の動作を示す動作説明図（符号は図８を参照）である。尚自動排水装置の自動排水器２は水田の排水部と排水路１０３の間に設置し、水位検出器３は水田内に設置する。
【００４６】
図９（ａ）は水田の湛水時の自動排水装置の状態を示す。給水装置等により水田へ給水中の自動排水装置の状態を示す。即ち水位フロート３１は水位リミットスイッチ（上限、下限）４２，４３を動作させない中間位置にあり、操作フロート室２０は排水弁２５が閉状態、導入弁２４は開状態であり、操作フロート室２０と操作水取水室１５は通水状態のため操作フロート室２０は満水状態である。また上限ゲート保持片１８は上限ゲート保持開放器４４により係止されており、ゲート１１は閉で、排水は停止状態であり、操作フロート２１は満水となった操作フロート室２０の最下位値で、浮力を有した状態で保持されている。
【００４７】
次に水田への給水が進み、水田の水位が上限値に達すると水位フロート３１も上昇し上限水位設定片３３の押動により上限水位リミットスイッチ４２を動作させ、該上限水位リミットスイッチ４２の接点信号がケーブル４０を通じ自動制御ボックス４１へ送信される。該自動制御ボックスで上限ゲート保持開放器４４の動作信号に変換され出力される（図９（ｂ）を参照）。
【００４８】
上限水位リミットスイッチ４２の接点信号は自動制御ボックス４１で、上限ゲート保持開放器４４への動作信号に変換され出力される。該動作信号により上限ゲート保持開放器４４のソレノイドコイルが励磁されプランジャーは吸引され、上限ゲート保持片１８の係止が解除されると、満水状態の操作フロート室２０の最下位置で保持されていた操作フロート２１の保持が解除され、操作フロート２１が浮力により上昇すると同時にゲート１１も連動して閉位置より上昇し、下限ゲート保持片１９は下限ゲート保持開放器４５により係止する。該下限ゲート保持片１９が係止されることにより、ゲート１１は開位置で操作フロート２１は上方位置で保持される。該操作フロート２１が上昇するとスプリング９０の作用により導入弁２４は閉となり、これと相反する排水弁２５は開となり操作フロート室２０は排水される。これにより水田からの排水が開始される（図９（ｂ）、図７（ｃ）を参照）。
【００４９】
操作フロート室２０は排水され空となり、操作フロート２１は操作フロート室２０の上方で中吊り状態で保持される。水田は排水状態である。（図９（ｄ）を参照）
【００５０】
水田からの排水が進み水田の水位が下降すると、水位フロート３１も下降し下限水位設定片３４の押動により下限水位リミットスイッチ４３が動作し、該下限水位リミットスイッチ４３の接点信号がケーブル４０を通じ自動制御ボックス４１へ送信される。（図９（ｅ）を参照）
【００５１】
下限水位リミットスイッチ４３の接点信号は自動制御ボックス４１で、下限ゲート保持開放器４５への動作信号に変換され出力される。該動作信号により下限ゲート保持開放器４５のソレノイドコイルが励磁されプランジャーは吸引され下限ゲート保持片１９の係止が解除されると、操作フロート室２０の上方で中吊り状態で保持されていた操作フロート２１と開位置で保持されていたゲート１１は、保持が解除され自重により下降し、上限ゲート保持片１８は上限ゲート保持開放器４４により係止される。該上限ゲート保持片１８が係止されることによりゲート１１は閉位置で操作フロート２１は最下位置で保持される。また操作フロート２１が下降すると排水弁２５は操作フロート２１に押され閉となり、これと相反する導入弁２４は開となり、操作水がストレーナー１６を経由して操作水取水室１５より導入管２６を経て操作フロート室２０へ導入可能となり、水田への給水が開始されると徐々に操作フロート室２０の水位は水田の水位まで上昇し、操作フロート２１は浮力を有した状態で操作フロート室２０の最下位値にて水没状態で保持される（図９（e）、図７（ｆ）を参照）。
【００５２】
上記のように水田の水位は自動排水装置により上限状態に達すると、自動的に排水され、下限水位に達すると排水を停止する。以上の動作を繰り返し水田の水管理（排水に関する）が自動的に行なわれる。
【００５３】
尚第２実施形態より第５実施形態までの自動給水装置についても、第１実施形態の自動給水装置と同様な構造の変更により自動排水装置となるものである。
【実施例７】
【００５４】
更に自動給水装置と自動排水装置を組み合わせることにより、自動給排水装置として使用することができる。該自動給排水装置は自動給水器、自動排水器及び水位検出器で構成し、構造及び動作については前記自動給水装置及び前記自動排水装置と同様であり、水位検出器は自動給水器及び自動排水器それぞれに設置せず兼用とする。但し第２実施形態及び第５実施形態の自動給水装置、及び第２実施形態及び第５実施形態の自動給水装置の一部を変更した自動排水装置との組み合わせによる自動給排水装置では、自動給水器及び自動排水器にそれぞれ単独に水位検出器を設置する。
【００５５】
図１０に自動給排水装置の設置図を示す。次に自動給排水装置の動作について説明する。自動給水器１のゲートが閉、及び自動排水機２のゲートも閉で水田水１００の水位が下限状態において、（１）前記状態を一定時間経過後（タイマーによる時限設定、またはタイムスイッチによる時刻設定による）に、自動給水器１のゲートを開とし用水路１０２より給水を開始する。（２）水田水１００の水位が上昇し水位検出器３が水位上限を検知すると、自動給水器１のゲートを閉とし給水が停止される。（３）この状態を一定時間経過後（タイマーによる時限設定、またはタイムスイッチによる時刻設定による）に、自動排水器２のゲートを開とし排水路１０３へ排水を開始する。（４）水田水１００の水位が下降し水位検出器３が水位下限を検知すると、自動排水器２のゲートを閉とし排水が停止される。以上の動作を自動制御ボックスの制御回路により繰返し行なうことにより、水稲の生育に有益な間断灌漑を自動的に行なうことができる。
【００５６】
尚ゲートの昇降操作を行うために制御回路が必要な自動給水装置、自動排水装置、または自動給排水装置においては、各装置に適した制御回路を設けるものとする。
【産業上の利用可能性】
【００５７】
自動給水装置及び自動排水装置のそれぞれ単独での使用による水管理、または自動給排水装置としての使用による水管理も行なえ、水稲の生育時期に合った水田の良好な水管理が自動的に行なえる。即ち生育初期の水稲の活着促進のため水温の上昇を図る浅水管理、生育中期の間断灌漑、生育後期の水稲の糖熟度促進のため湛水状態を維持する水管理等が自動的に行なえる。また自動的に給水の開始及び停止ができることにより、作業の省力化が図られ、用水の無効放流の防止により水資源の有効利用も図ることができ、且肥料等の流出防止もできる。
【符号の説明】
【００５８】
１  自動給水器
２  自動排水器
３  水位検出器
４  給水部
５  取水部
１０  取水室
１１  ゲート
１５  操作水取水室
２０  操作フロート室
２１  操作フロート
３０  水位フロート室
３１  水位フロート
４０  ケーブル
４１  自動制御ボックス
１００  水田水
１０２  用水路
１０３  排水路
【図１】
2011115059.tif 000003
【図２】
2011115059.tif 000004
【図３】
2011115059.tif 000005
【図４】
2011115059.tif 000006
【図５】
2011115059.tif 000007
【図６】
2011115059.tif 000008
【図７】
2011115059.tif 000009
【図８】
2011115059.tif 000010
【図９】
2011115059.tif 000011
【図１０】
2011115059.tif 000012
【図１１】
2011115059.tif 000013
【図１２】
2011115059.tif 000014
【図１３】
2011115059.tif 000015